(57)【要約】【課題】データ記録開始から記録終了までの間に生成される一つの記録単位(又は再生単位)で記録素材を扱うことができる。【解決手段】カメラ一体型記録再生装置の記録制御部１４は、データが記録されるときに、データを再生するために必要なメディアプロファイルを取得する情報取得部３２と、クリップがリムーバブルメディアのファイルシステムの記憶容量の制限を超えるか否かを判断し、制限を超えたとき順次次のクリップを生成し、リムーバブルメディアへのデータ記録開始から記録終了までの間に、制限を超えて順次生成された複数のクリップを単一のテイクとして生成するテイク生成部３４と、生成された単一のテイクをメディアプロファイルに記録することによりメディアプロファイルを更新するメディアプロファイル更新部３５と、を備える。【選択図】図３
2008090914.tif 000002
【特許請求の範囲】
【請求項１】
カメラ部で撮像されて記録媒体に記録されているデータを再生可能に管理する記録再生装置において、
前記データが記録されるときに、前記データを再生するために必要な管理情報を取得する情報取得手段と、
前記記録媒体へのデータ記録開始から記録終了まで動作を制御する記録制御手段と、
前記データの記録ファイルが前記記録媒体のファイルシステムの記憶容量の制限を超えるか否かを判断し、前記制限を超えたとき順次次の記録ファイルを生成する記録ファイル生成判断手段と、
前記記録制御手段により指示された前記記録媒体へのデータ記録開始から記録終了までの間に、前記記録ファイル生成判断手段により前記制限を超えて順次生成された複数の記録ファイルを単一の記録再生単位として生成する記録再生単位生成手段と、
前記記録再生単位生成手段により生成された前記単一の記録再生単位を前記管理情報に記録することにより前記管理情報を更新する管理情報更新手段と、
を備えることを特徴とする記録再生装置。
【請求項２】
前記記録再生単位生成手段により生成される前記単一の記録再生単位は、前記複数の記録ファイルに対する編集情報と同様のフォルダ構成で別に定義される
ことを特徴とする請求項１に記載の記録再生装置。
【請求項３】
前記記録再生単位生成手段により生成される前記単一の記録再生単位は、前記複数の記録ファイルに対する編集情報と別の名前空間で別に定義される
ことを特徴とする請求項１に記載の記録再生装置。
【請求項４】
前記管理情報更新手段により前記管理情報を更新する際に、前記単一の記録再生単位と共に前記単一の記録再生単位が構成される前記複数の記録ファイルを併せて前記管理情報に追加する
ことを特徴とする請求項１に記載の記録再生装置。
【請求項５】
前記単一の記録再生単位を再生する際に、前記単一の記録再生単位の単一のサムネイル画像を表示すると共に前記単一の記録再生単位の再生が指示されたときに、前記管理情報に記録されている前記単一の記録再生単位が構成される前記複数の記録ファイルを再生する
ことを特徴とする請求項４に記載の記録再生装置。
【請求項６】
カメラ部で撮像されて記録媒体に記録されているデータを再生可能に管理する記録再生方法であって、
前記データが記録されるときに、前記データを再生するために必要な管理情報を取得する情報取得ステップと、
前記記録媒体へのデータ記録開始から記録終了までの動作を制御する記録制御ステップと、
前記データの記録ファイルが前記記録媒体のファイルシステムの記憶容量の制限を超えるか否かを判断し、前記制限を超えたとき順次次の記録ファイルを生成する記録ファイル生成判断ステップと、
前記記録制御ステップにより制御された前記記録媒体へのデータ記録開始から記録終了までの間に、前記記録ファイル生成判断ステップにより前記制限を超えて順次生成された複数の記録ファイルを単一の記録再生単位として生成する記録再生単位生成ステップと、
前記記録再生単位生成ステップにより生成された前記単一の記録再生単位を前記管理情報に記録することにより前記管理情報を更新する管理情報更新ステップと、
を含むことを特徴とする記録再生方法。
【発明の詳細な説明】
【技術分野】
【０００１】
本発明は、例えば、カメラ一体型記録再生装置に適用される記録再生装置及び記録再生方法に関するものである。
【背景技術】
【０００２】
近年、データの書き込みや消去を繰り返し行うことができるCD-RW（Compact Disc-ReWritable）、DVD-RW（Digital Versatile Disc-ReWritable）などの記録媒体が、その低価格化に伴い普及しつつある。
【０００３】
これらのディスク状の記録媒体においては、ユニバーサルディスクフォーマット（UDF：Universal Disk Format）に準拠してデータが記録されている。UDFに基づいて記録されたディスク状の記録媒体は、所定のデータへのランダムアクセスが可能であり、画像データや音声データなどのデータがコンテンツとして書き込まれたり、書き込まれたコンテンツが消去されたりする。このようにして、記録媒体に書き込まれたコンテンツの情報は、コンテンツ管理ファイル内のコンテンツ管理テーブルなどに一括管理されていることが多い。
【０００４】
コンテンツ管理テーブルには、例えば、コンテンツが記録されている位置を示す「コンテンツ」へのポインタ、記録日時、変更日時、またはプロテクトの情報などからなる属性情報、コンテンツのサムネイル（画像）、および、コンテンツのタイトル名などのテキスト情報などが管理されている。
【０００５】
したがって、記録媒体に記録されているコンテンツを再生する場合、コンテンツ管理テーブルの「コンテンツ」へのポインタが示す位置に基づいて、コンテンツのデータにアクセスし、データそのもの、またはデータの一部からコンテンツを再生するための再生情報（例えば、コンテンツを構成するデータのコーデックの種類、データの解像度など）を取得し、取得した再生情報に基づいて、データを再生していた。
【０００６】
また、半導体メモリなどの記録媒体からなるリムーバブルメディアでは、FAT（File Allocation Tables）ファイルシステムが採用されているものがある。このFATファイルシステムでは、大容量のリムーバブルメディアが増えるにつれてファイルの書き込みの効率が悪くなってきた上、４GBを超えるサイズのリムーバブルメディアでは必ず複数のパーティションに分割して使わなければならないといった制限がある。これにより、リムーバブルメディアを小さな単位に分割して同じ領域を繰り返し使用しないように分散して管理するため、ファイルが破損する恐れを最小限に留め、効率よく利用できるようになった。
【０００７】
また、データをスムーズに再生することができるようにする映像プログラム制作支援システムが本出願人(共同出願人)から提案されている(特許文献１参照)。この映像プログラム制作支援システムでは、クリップ生成部は、情報取得部からのパラメータ情報に基づいて、データ生成部により生成された各エッセンスデータを再生するために必要な、各エッセンスデータの属性情報が記述されたクリップインフォメーションファイルを生成する。メディアプロファイル更新部は、光ディスクから読み出され、ＲＡＭに記憶されているメディアプロファイルに、情報取得部からのパラメータ情報に基づいて、生成されたクリップに対応する、クリップを再生するために必要なクリップの属性情報が記述されたクリップ要素を生成し、メディアプロファイルを更新する。
【特許文献１】特開２００５−４８５０号公報
【発明の開示】
【発明が解決しようとする課題】
【０００８】
しかしながら、上述した特許文献１に記載の技術により生成されたクリップをリムーバブルメディアに記録しようとした場合には、以下のような問題が生じる。すなわち、上述したファイルシステム上のファイルサイズの制約があるため、データ記録開始から記録終了までの間に生成されるファイル（クリップ）が一つとならずに複数のファイル（クリップ）が生成されてしまう。このため、動画像を撮像するカメラ一体型記録再生装置を使用する際に基本となる、データ記録開始から記録終了までの間に生成される一つの記録単位(又は再生単位)で記録素材を扱うことができないという課題が発生する。
【０００９】
このような複数のファイル（クリップ）をまとめて一つの記録単位(又は再生単位)とする方法として、上述した特許文献１に記載の技術のようにエディットリストを用いる方法が考えられる。しかし、このエディットリストは編集目的で用いられるため、カメラ一体型記録再生装置の実装上不都合が発生する。例えば、エディットリストを用いた場合にはデータ再生時に編集された個々のファイル（クリップ）のサムネイル画像を複数個まとめて表示してしまう。この場合、リムーバブルメディアに記録されている一つの記録単位(又は再生単位)を表すデータ記録開始時の一つのサムネイル画像(例えば先頭シーンの画像)が表示されることが要求されるのに対して、他の不必要なサムネイル画像が含まれて表示されることとなるためである。
【００１０】
そこで、本発明は、データ記録開始から記録終了までの間に生成される一つの記録単位(又は再生単位)で記録素材を扱うことができる記録再生装置及び記録再生方法を提供することを目的とするものである。
【課題を解決するための手段】
【００１１】
上記目的を達成するために、本発明の記録再生装置は、データが記録されるときに、データを再生するために必要な管理情報を取得する情報取得手段と、記録媒体へのデータ記録開始から記録終了まで動作を制御する記録制御手段と、データの記録ファイルが記録媒体のファイルシステムの記憶容量の制限を超えるか否かを判断し、制限を超えたとき順次次の記録ファイルを生成する記録ファイル生成判断手段と、記録制御手段により制御された記録媒体へのデータ記録開始から記録終了までの間に、記録ファイル生成判断手段により制限を超えて順次生成された複数の記録ファイルを単一の記録再生単位として生成する記録再生単位生成手段と、記録再生単位生成手段により生成された単一の記録再生単位を管理情報に記録することにより管理情報を更新する管理情報更新手段と、を備えるものである。
【００１２】
これによれば、まず、情報取得手段は、データが記録されるときに、データを再生するために必要な管理情報を取得し、記録制御手段は、記録媒体へのデータ記録開始から記録終了まで動作を制御する。ここで、記録ファイル生成判断手段は、データの記録ファイルが記録媒体のファイルシステムの記憶容量の制限を超えるか否かを判断し、制限を超えたとき順次次の記録ファイルを生成する。これにより、記録再生単位生成手段は、記録制御手段により制御された記録媒体へのデータ記録開始から記録終了までの間に、記録ファイル生成判断手段により制限を超えて順次生成された複数の記録ファイルを単一の記録再生単位として生成する。さらに、管理情報更新手段は、記録再生単位生成手段により生成された単一の記録再生単位を管理情報に記録することにより管理情報を更新する。
【００１３】
また、本発明の記録再生方法は、データが記録されるときに、データを再生するために必要な管理情報を取得する情報取得ステップと、記録媒体へのデータ記録開始から記録終了までの動作を制御する記録制御ステップと、データの記録ファイルが記録媒体のファイルシステムの記憶容量の制限を超えるか否かを判断し、制限を超えたとき順次次の記録ファイルを生成する記録ファイル生成判断ステップと、記録制御ステップにより制御された記録媒体へのデータ記録開始から記録終了までの間に、記録ファイル生成判断ステップにより制限を超えて順次生成された複数の記録ファイルを単一の記録再生単位として生成する記録再生単位生成ステップと、記録再生単位生成ステップにより生成された単一の記録再生単位を管理情報に記録することにより管理情報を更新する管理情報更新ステップと、を含むものである。
【００１４】
これによれば、まず、情報取得ステップでは、データが記録されるときに、データを再生するために必要な管理情報が取得され、記録制御ステップでは、記録媒体へのデータ記録開始から記録終了までの動作が制御される。ここで、記録ファイル生成判断ステップでは、データの記録ファイルが記録媒体のファイルシステムの記憶容量の制限を超えるか否かが判断され、制限を超えたとき順次次の記録ファイルが生成される。これにより、記録再生単位生成ステップでは、記録制御ステップにより制御された記録媒体へのデータ記録開始から記録終了までの間に、記録ファイル生成判断ステップにより制限を超えて順次生成された複数の記録ファイルが単一の記録再生単位として生成される。さらに、管理情報更新ステップでは、記録再生単位生成ステップにより生成された単一の記録再生単位を管理情報に記録することにより管理情報が更新される。
【発明の効果】
【００１５】
本発明によれば、記録媒体へのデータ記録開始から記録終了までの間に、制限を超えて順次生成された複数の記録ファイルを単一の記録再生単位として生成し、さらに、生成された単一の記録再生単位を管理情報に記録することにより管理情報を更新することにより、動画像を撮像するカメラ一体型記録再生装置を使用する際に基本となる、データ記録開始から記録終了までの間に生成される一つの記録単位(又は再生単位)で記録素材を扱うことができるという効果を奏する。
【発明を実施するための最良の形態】
【００１６】
以下、本発明の一実施の形態を、図１〜２１を参照して説明する。
図１は、本実施の形態例のカメラ一体型記録再生装置が適用されるシステム構成例を示している。
【００１７】
図１において、映像プログラム制作支援システム８は、例えば、テレビジョン信号を放送するテレビジョン放送局や、ビデオや映画等の映像コンテンツの制作会社等において設けられるシステムであり、テレビジョン番組や映画等の映像作品である映像プログラムを制作するためのシステムである。この映像プログラム制作支援システム８は、映像プログラムの制作を分担する複数の部署間で、電子ファイル形式で構成される、映像プログラムに付加されたメタデータ等を一貫して利用できるようにし、映像プログラムを効率よく作成するためのシステムである。
【００１８】
映像プログラム制作支援システム８は、図１に示されるように、映像プログラムの企画を行う企画用端末装置６、企画用端末装置６が接続されたネットワーク５、ネットワーク５に接続された取材用端末装置４、取材用端末装置４を構成するカメラ一体型記録再生装置１およびフィールドPC/PDA（Personal Computer/Personal Digital Assistants）２（以下、フィールドＰＣ２と称する）、同様に、ネットワーク５に接続される編集用端末装置７、並びに、記録媒体であるリムーバブルメディア３により構成される。
【００１９】
企画用端末装置６は、例えば、パーソナルコンピュータ等の情報処理装置およびその周辺装置等により構成され、映像プログラムの企画が行われる企画構成部署等に設けられる。この企画構成部署は、映像プログラムの制作全体を統括する部署であり、制作する映像プログラムの企画および構想を行って、映像プログラムのシナリオ（筋書き）を作成するとともに、後述する取材部署および編集部署等の他部署に制作作業内容を指示する部署である。企画用端末装置６は、例えば、映像プログラムのシナリオに対応する政策指示情報等を含む、電子ファイル形式の構成表メタデータを映像プログラム毎に作成する等の処理を行う。企画用端末装置６は、生成した構成表メタデータを、ネットワーク５を介して取材用端末装置４等に供給する。これにより、企画構成部署は、取材部署等に対して、取材または撮影すべき場面や内容の指示を行う。
【００２０】
取材用端末装置４は、取材を行う取材部署によって用いられる端末装置群であり、例えば、カメラ一体型記録再生装置１とフィールドＰＣ２により構成される。この取材部署は、例えば、企画構成部署からの制作指示やシナリオに従って、制作現場で実際に取材を行う部署であり、映像プログラムを構成する各場面の映像を撮影するとともに、撮影状況を取材する部署である。
【００２１】
カメラ一体型記録再生装置１は、例えば、カムコーダ（登録商標）等のビデオカメラであり、放送用のニュース番組の取材や、スポーツ等の試合の模様、映画などの映像コンテンツの撮影に使用される装置である。このカメラ一体型記録再生装置１は、ネットワーク５に接続されており、例えば、上述した企画用端末装置６から、ネットワーク５を介して構成表メタデータを取得する。そして、カメラ一体型記録再生装置１は、その取得した構成表メタデータを所定の表示部等に表示し、カメラマン等の撮影スタッフに撮影すべき内容を認識させる。また、カメラ一体型記録再生装置１は、撮影スタッフに操作され、取得した構成表メタデータの制作指示情報に基づいて、映像プログラムを構成する各場面の撮影を行う。
【００２２】
カメラ一体型記録再生装置１は、撮影により得られた画像データや音声データをリムーバブルメディア３等の記録媒体に記録する。このとき、カメラ一体型記録再生装置１は、１回の撮像処理を示す単位であるクリップに対応する画像データや音声データ等を含む映像コンテンツに関するデータを、まとめて１つのクリップとしてリムーバブルメディア３に記録し、管理する。
【００２３】
また、カメラ一体型記録再生装置１は、例えば、撮像により得られた画像データであるオリジナルの画像データだけでなく、例えば、ローレゾリューション（low resolution:低解像度）画像データ（以下、ローレゾデータと称する）も、クリップに含めてリムーバブルメディア３に記録し、管理することができる。オリジナルの画像データは、データ量が大きいが、高画質な画像データであるので、映像プログラムの完成品に用いられる。一方、ローレゾデータは、オリジナルの画像データから各フレームの画素数が間引かれること等によって生成された、画素数の少ないフレームの画像に対応する画像データである。このローレゾデータは、オリジナルの画像データと比較して低画質であるが、データ量が小さいので、送信や再生など処理の負荷が軽く、主に粗編集処理等に利用される。また、このローレゾデータは、サムネイル画像などに用いることができる。
【００２４】
カメラ一体型記録再生装置１により、リムーバブルメディア３に記録された複数のクリップは、複数のクリップを一括管理するメディアプロファイル（図５を参照して後述する）と、クリップを構成する画像データや音声データ等をクリップ毎に管理するクリップインフォメーションファイル（図６を参照して後述する）により管理される。
【００２５】
カメラ一体型記録再生装置１は、メディアプロファイルまたはクリップインフォメーションファイルに基づいて、このリムーバブルメディア３に記録されたクリップの画像データなどを所定の表示部等に表示させ、制作指示情報に応じた撮影ができたか否かを撮影スタッフに確認させる。また、カメラ一体型記録再生装置１は、メディアプロファイルまたはクリップインフォメーションファイルを参照して、リムーバブルメディア３に記録された複数のクリップの画像データを連続して、あたかもテープに記録された画像データを連続して再生するかのように、所定の表示部等に表示させ、撮影された複数の場面を連続して撮影スタッフに確認させることもできる。
【００２６】
なお、クリップは、ＦＡＴファイルシステムの制限(４ＧＢ)を超えない場合には、１回の撮像処理だけでなく、その撮像処理の撮像開始から撮像終了までの時間を示す単位でもあり、その撮像処理により得られた各種のデータの長さを示す単位でもあり、その撮像処理により得られた各種のデータのデータ量を示す単位でもある。さらに、クリップは、その各種のデータの集合体そのものも示す場合もある。
【００２７】
カメラ一体型記録再生装置１により、映像コンテンツとして、複数のクリップ（画像データや音声データ等）が記録されたリムーバブルメディア３は、例えば、後述する編集部署やフィールドＰＣ２等に搬送され、利用される。しかしながら、リムーバブルメディア３の搬送にはある程度の時間を要するため、カメラ一体型記録再生装置１は、ネットワーク５を介して、企画用端末装置６、フィールドＰＣ２、または編集用端末装置７等に、画像データを供給できるようにしてもよい。その場合、カメラ一体型記録再生装置１は、転送時間を短縮するために（転送処理の負荷を軽減するために）、撮像により得られた画像データの代わりに、その画像データに対応する、データ量の小さいローレゾデータを供給するようにするのが望ましい。
【００２８】
なお、カメラ一体型記録再生装置１によるローレゾデータの転送処理は、どのようなタイミングで行うようにしてもよく、撮像処理と並行して行うようにしてもよいし、撮像処理の終了後に一括して行うようにしてもよい。
【００２９】
このように、リムーバブルメディア３の搬送に先駆けて、ローレゾデータを転送することにより、編集部署は、搬送されたリムーバブルメディア３が到着していなくても、比較的早い段階で（例えば、撮像処理と同時並行して）、編集作業を行うことができるので、映像プログラムの制作効率を高めることができる。なお、上述のように、ローレゾデータがネットワーク５を介して伝送される場合、カメラ一体型記録再生装置１は、たとえば、オリジナルの画像データや音声データのみをリムーバブルメディア３に記録するようにしてもよい（ローレゾデータをリムーバブルメディア３に記録しないようにしてもよい）。
【００３０】
なお、カメラ一体型記録再生装置１が映像コンテンツ等を記録する記録媒体としては、上述したリムーバブルメディア３の例に限定されず、FATファイルシステムを適用するものであればどのような記録媒体であってもよい。例えば、フラッシュメモリ等を含む半導体メモリに限らず、他のディスク状記録媒体であってもよい。
【００３１】
フィールドＰＣ２は、例えば、ノート型パーソナルコンピュータやＰＤＡ等の携帯可能な情報処理装置および周辺装置などで構成される。このフィールドＰＣ２は、カメラ一体型記録再生装置１と各種の有線または無線回線等により接続されており、例えば、構成表メタデータや映像コンテンツなどをカメラ一体型記録再生装置１と共有することができる。
【００３２】
このフィールドＰＣ２は、例えば、ネットワーク５を介して、企画用端末装置６から構成表メタデータを取得したり、カメラ一体型記録再生装置１から構成表メタデータを取得したりする。フィールドＰＣ２は、取得した構成表メタデータを所定の表示部に表示し、取材部署担当者に取材、撮影すべき内容を認識させる。
【００３３】
さらに、フィールドＰＣ２は、ユーザである取材部署担当者の入力に基づいて、取材・撮影状況に関する情報である撮影状況情報を生成し、生成した撮影状況情報を構成表メタデータ内の該当欄に追加する。この撮影状況情報は、例えば、データ記録開始から記録終了までの間に生成される一つの記録単位(又は再生単位)を示すテイクごとや取材場所ごとに多様な観点で記載されたテキストデータ等であり、後段の編集処理時に有用となる情報である。このように、フィールドＰＣ２は、撮影状況情報を書き込むことにより、構成表メタデータを編集する。また、フィールドＰＣ２は、撮影状況情報をメタデータとしてカメラ一体型記録再生装置１に供給し、カメラ一体型記録再生装置１において得られた画像データや音声データに付加させる。
【００３４】
編集用端末装置７は、例えば、パーソナルコンピュータ等の情報処理装置および周辺装置により構成され、映像コンテンツの編集処理を行う編集部署に設けられる。編集部署は、企画構成部署による制作指示やシナリオ、取材部署における取材状況を反映した構成表メタデータ等に基づいて、カメラ一体型記録再生装置１により得られた画像データや音声データを編集し、映像プログラムを完成させる部署である。
【００３５】
編集用端末装置７は、例えば、カメラ一体型記録再生装置１から、ネットワーク５を介して、構成表メタデータやローレゾデータを取得する。また、編集用端末装置７は、カメラ一体型記録再生装置１においてクリップ（画像データや音声データ）が記録されたリムーバブルメディア３より、オリジナルの画像データや音声データを取得する。さらに、編集用端末装置７は、企画用端末装置６またはフィールドＰＣ２等より、ネットワーク５を介して、直接制作指示（編集に関する指示）を取得することも可能である。
【００３６】
編集用端末装置７は、以上のように取得した構成表メタデータに基づいて、取得した映像コンテンツを好適に再生して表示する。例えば、編集用端末装置７は、ユーザに操作され、ネットワーク５を介して取得したローレゾデータや、リムーバブルメディア３に記録されているオリジナルの画像データや音声データを、シナリオに従った順序で連続的に表示したり、リムーバブルメディア３に記録されているすべてのクリップのオリジナルの画像データや音声データを連続的に表示したり、所望のクリップの画像データのみを表示したりする。なお、リムーバブルメディア３に記録されているオリジナルの画像データを再生する場合、編集用端末装置７は、ディスク装置等を利用して、リムーバブルメディア３に記録されているデータを読み出したり、リムーバブルメディア３にデータを書き込んだりする。また、その際には、リムーバブルメディア３に記録されているデータを管理するメディアプロファイルまたはクリップインフォメーションファイルが参照される。
【００３７】
また、編集用端末装置７は、例えば、構成表メタデータに基づいて必要な画像データ等を好適な順序で再生し、表示するだけでなく、取材により得られた画像データ等の編集処理を行う。この編集処理としては、粗編集処理と本編集処理がある。
【００３８】
粗編集処理は、画像データや音声データに対する簡易的な編集処理である。例えば、編集用端末装置７は、粗編集処理において、例えば、クリップを複数取得した場合に、それらのクリップの中から、本編集で使用すべきクリップを選択し、選択されたクリップのデータの中から、さらに必要な映像部分を選択（Logging）し、その選択された映像部分に対応する編集開始位置（In点）および編集終了位置（Out点）を例えば、タイムコード等を利用して設定し、上述したクリップのデータの中から、対応する部分を抽出（Ingesting）する。
【００３９】
本編集処理は、粗編集処理が施された各クリップを構成する画像データを繋ぎ合わせ、その画像データに対して、最終的な画質調整等を行い、番組などで放送するためのデータである完全パッケージデータを作成する処理である
【００４０】
さらに、編集用端末装置７は、例えば、ネットワーク５を介して、または、他の記録媒体などから取得された画像データや音声データを、カメラ一体型記録再生装置１と同様に、まとめて１つのクリップとしてリムーバブルメディア３に記録することもできる。
【００４１】
なお、上述した企画用端末装置６、カメラ一体型記録再生装置１、フィールドＰＣ２、編集用端末装置７等の各装置は、それぞれ、複数台により構成されるようにしてもよい。例えば、複数台のカメラ一体型記録再生装置１において得られた画像データ等を、１台の編集用端末装置７がリムーバブルメディア３やネットワーク５を介して取得し、そのデータに対して編集処理を行うようにしてもよいし、１台のカメラ一体型記録再生装置１より供給されたデータが、複数台の編集用端末装置７により編集されるようにしてもよい。
【００４２】
逆に、上述した企画用端末装置６、カメラ一体型記録再生装置１、フィールドＰＣ２、および編集用端末装置７等の各装置は、それぞれ、別体として構成されるように説明したが、これに限らず、各装置の機能の一部または全部が互いに一体化して構成されるようにしてもよい。
【００４３】
また、映像プログラム制作支援システム８は、例えば、上述した企画用端末装置６、カメラ一体型記録再生装置１、フィールドＰＣ２、および編集用端末装置７とは別に、ネットワーク５に接続されたセンタサーバ（図示せず）を設け、企画用端末装置６、カメラ一体型記録再生装置１、フィールドＰＣ２、および編集用端末装置７等をクライアントとした、クライアント／サーバ（Client/Server）システムとして構成するようにしてもよい。
【００４４】
図２は、図１のカメラ一体型記録再生装置１の詳細な構成例を示している。図２において、カメラ一体型記録再生装置１のＣＰＵ（central Processing Unit）１１は、ＲＯＭ（Read Only Memory）１２に記憶されているプログラムに従って各種の処理を実行する。ＲＡＭ（Random Access Memory）１３には、ＣＰＵ１１が各種の処理を実行する上において必要なデータやプログラムなどが適宜記憶される。
【００４５】
記録制御部１４は、エンコーダ／デコーダ部１６より供給される画像データ、音声データおよびローレゾデータなどを、または、記憶部２４に記憶されている画像データ、音声データおよびローレゾデータなどを、図５を参照して後述するリムーバブルメディア３のファイルシステムに基づいて、ドライブ２７を介して、リムーバブルメディア３に記録する制御を行う。
【００４６】
再生制御部１５は、リムーバブルメディア３のファイルシステムに基づいて、ドライブ２７を制御し、リムーバブルメディア３に記録されている画像データ、音声データまたはローレゾデータなど読み出し、リムーバブルメディア３から読み出された画像データ、音声データまたはローレゾデータなどを、エンコーダ／デコーダ部１６に供給する。
【００４７】
エンコーダ／デコーダ部１６は、カメラ部２８又は入力部２２より入力された画像データ、音声データを所定のコーデックで符号化し、記憶部２４または記録制御部１４に供給する。さらに、必要な場合は、エンコーダ／デコーダ部１６は、入力部２２より入力された画像データを、例えば、MPEG4方式で符号化し、ローレゾデータとして、記憶部２４または記録制御部１４に供給し、入力部２２より入力された音声データを、例えば、ITU-T G.711 A-Law方式で符号化し、ローレゾデータとして、記憶部２４又は記録制御部１４に供給する。
【００４８】
また、エンコーダ／デコーダ部１６は、再生制御部１５より供給された画像データ、音声データまたはローレゾデータを、出力部２３を構成するモニタまたはスピーカなどに出力する。
【００４９】
ＣＰＵ１１、ＲＯＭ１２、ＲＡＭ１３、記録制御部１４、再生制御部１５及びエンコーダ／デコーダ部１６は、バス１７を介して相互に接続されている。また、このバス１７には入出力インタフェース２０も接続されている。
【００５０】
入出力インタフェース２０は、キーボードやマウスから構成される操作部２１が接続され、操作部２１に入力された信号をＣＰＵ１１に出力する。また、入出力インタフェース２０には、被写体を撮像し、撮像した画像データを入力するカメラ部２８、音声データを入力するマイクロフォンなどにより構成される入力部２２、ＣＲＴ（Cathode Ray Tube） 、ＬＣＤ（Liquid Crystal Display）などよりなるモニタ、並びにスピーカなどよりなる出力部２３、ハードディスクやEEPROM（Electronically Erasable and Programmable Read Only Memory）などから構成される記憶部２４、通信部２５、ドライブ２６、ドライブ２７が接続されている。
【００５１】
通信部２５は、例えば、IEEE（Institute of Electrical and Electronics Engineers）１３９４ポートや、ＵＳＢ（Universal Serial Bus）ポート、ＬＡＮ（Local Area Network）接続用のＮＩＣ（Network Interface Card）、あるいは、アナログモデムや、ＴＡ（Terminal Adapter）およびＤＳＵ（Digital Service Unit）、ADSL（Asymmetric Digital Subscriber Line）モデム等で構成され、例えば、インターネットやイントラネット等のネットワーク５を介して、編集用端末装置７などと、データをやりとりする。
【００５２】
ドライブ２７には、リムーバブルメディア３を着脱することができるようになっている。ドライブ２７は、そこに装着されたリムーバブルメディア３を駆動することにより、リムーバブルメディア３に対して、画像データや音声データを記録したり、記憶されている画像データや音声データを再生する。ドライブ２６は光ディスク９用である。
【００５３】
カメラ部２８は、CCD（Charge Coupled Devices）又はCMOS（Complementary Metal Oxide Semiconductor）等の撮像手段を備え、各種レンズからなる光学系を経て入力された被写体画像を電気信号、すなわち画像データに変換する。その画像データは、ＣＰＵ１１の制御の下、入出力インターフェース２０及びバス１７を解してエンコーダ／デコーダ部１６に入力される。
【００５４】
リムーバブルメディア３は、例えば、本出願人が提唱・製造している、フラッシュメモリタイプのメモリースティック（登録商標）と呼ばれる記録メディアが適用される。サイズは例えば縦21.5×横50×厚さ2.8mmの板状の小型・軽量で、パーソナルコンピュータやディジタルカメラ、携帯ディジタルオーディオプレーヤーなどの記録メディアとして利用されている。リムーバブルメディア３は、数十GBから数百ＧBの記憶容量のもので、転送速度を高速化したものでよい。
【００５５】
リムーバブルメディア３に記録された画像データや音声データ等は、まとめて複数のクリップ(ファイル)として、図５を参照して後述するファイルシステムにより管理されている。ここで、リムーバブルメディア３に記録される画像データや音声データ等がＦＡＴファイルシステムの制限(４ＧＢ)を超えると順次次のクリップ(ファイル)が生成される。また、制限(４ＧＢ)を超えない場合には一つのクリップ(ファイル)が生成される。
そして、記録開始から記録終了までにＦＡＴファイルシステムの制限(４ＧＢ)を超えて順次生成された複数のクリップ(ファイル)をまとめて一つの記録単位(又は再生単位)であるテイクが生成される。
【００５６】
このファイルシステムにおいては、リムーバブルメディア３に記録されている複数のクリップ及びテイクは、メディアプロファイルにより管理されている。メディアプロファイルは、リムーバブルメディア３に記憶されているクリップとクリップをまとめたテイクのすべてを一覧表に記述して管理する管理ファイルである。
【００５７】
メディアプロファイルは、ドライブ２７にリムーバブルメディア３が装着されると、リムーバブルメディア３から読み出され、ＲＡＭ１３に展開される。クリップインフォメーションファイルは、再生するクリップが指示されたときなどにリムーバブルメディア３から読み出され、ＲＡＭ１３に展開される。なお、以降、クリップを構成する画像データや音声データ、ローレゾデータなどをエッセンスデータと総称する。
【００５８】
入出力インタフェース２０には、また、必要に応じて、ドライブ２６がさらに接続される。ドライブ２６は、磁気ディスク、光ディスク、光磁気ディスク、または半導体メモリなどの記録媒体９よりデータを読み出したり、データを書き込んだりするときに用いられる。
【００５９】
図３は、図２の記録制御部１４の構成例を示している。図３の例において、記録制御部１４は、データ取り込み部３１、情報取得部３２、データ生成部３３、テイク生成部３４、メディアプロファイル更新部３５、データ記録部３６及びテーブル記録部３７により構成される。
【００６０】
データ取り込み部３１は、エンコーダ／デコーダ部１６又は記憶部２４より画像データ、音声データ及びローレゾデータなどを取り込み、データ生成部３３に供給する。情報取得部３２は、ＣＰＵ１１によりデータの記録開始が指示されると、ＲＡＭ１３に記憶されているパラメータ情報を、ＲＡＭ１３から取得し、データ生成部３３、テイク生成部３４及びメディアプロファイル生成部３５に供給する。パラメータ情報とは、入力部２２が画像データ及び音声データを入力(撮像及び録音)するためのカメラ一体型記録再生装置１の設定情報であり、入力される画像データ及び音声データの解像度の情報、コーデック（符号化方法）の種類など、画像データ及び音声データを再生するときに、必要とされる再生情報である。パラメータ情報は、カメラ一体型記録再生装置１に予め設定されているか、又は、操作部２１を介して、撮影スタッフなどにより設定され、ＲＡＭ１３に記憶されている。
【００６１】
データ生成部３３は、情報取得部３２からのパラメータ情報に基づいて、データ取り込み部３１から供給された画像データ、音声データ及びローレゾデータなどから、所定のフォーマット（いまの場合、MP４であるが、ＭＸＦ（Material Exchange Format）でもよい）の各エッセンスデータ（画像データ、音声データ及びローレゾデータ）をそれぞれ生成し、データ記録部３６に出力する。また、データ生成部３３は、情報取得部３２からのパラメータ情報などに基づいて、メタデータなども、所定のフォーマットでそれぞれ生成し、データ記録部３６に出力する。
【００６２】
なお、上記エッセンスデータとしては、その他、MP４ファイルなどの種々のファイルを適用できる。MP４ファイルは、MPEG（Moving Picture Experts Group）-4形式の圧縮動画データを格納するファイル形式の一つであり、ISO/IEC 14496規格のPart 14の項で規定されている。MPEG-4形式の動画だけでなくMPEG-2やMPEG-1の動画を保存することもでき、また、AAC（Advanced Audio Coding）やMP3などの音声、JPEG（Joint Photographic Experts Group）やPNG (Portable Network Graphics)などの静止画などを多重化して格納することができるため、どのような形式のデータが入っているかは内部を解析してみないと分からない。
【００６３】
テイク生成部３４は、情報取得部３２からパラメータ情報が入力されると、入力されるデータ用の新しいクリップをまとめたテイクを生成するために、テイクディレクトリを生成する。また、テイク生成部３４は、情報取得部３２からのパラメータ情報に基づいて、データ生成部３３により生成されたテイクを構成するクリップの各エッセンスデータを再生するために必要な、各エッセンスデータの属性情報が記述されたクリップインフォメーションファイルを生成し、生成したクリップインフォメーションファイルをテーブル記録部３７に出力する。
【００６４】
メディアプロファイル更新部３５は、リムーバブルメディア３から読み出され、ＲＡＭ１３に展開されているメディアプロファイルに、情報取得部３２からのパラメータ情報に基づいて、生成されたテイクを構成するクリップに対応したクリップ要素を生成し、メディアプロファイルを更新する。生成されたテイクを構成するクリップ要素には、クリップを再生するために必要なクリップの属性情報が記述されている。メディアプロファイル更新部３５は、更新されたメディアプロファイルをテーブル記憶部３７に出力する。
【００６５】
データ記録部３６は、データ生成部３３により生成されたデータをドライブ２７を介して、リムーバブルメディア３に記録する。テーブル記録部３７は、テイク生成部３４により生成されたテイクディレクトリ及びクリップインフォメーションファイルなど、並びに、メディアプロファイル更新部３５により更新されたメディアプロファイルを、ドライブ２７を介して、リムーバブルメディア３に記録する。
【００６６】
図４は、図２の再生制御部１５の構成例を示している。図４の例において、再生制御部１５は、クリップ再生部４１、テイクサムネイル生成部４２、メディアプロファイル情報取得部４３及びテイク情報取得部４４により構成される。再生制御部１５のテイク再生部４１及びテイクサムネイル生成部４２は、ＣＰＵ１１からのテイク再生開始又はテイクサムネイル生成開始の指示に基づいて、メディアプロファイル情報取得部４３又はテイク情報取得部４４を制御し、リムーバブルメディア３からデータを読み出す。
【００６７】
ここで、テイクサムネイル生成とは、クリップサムネイル再生が、各々１つのクリップのサムネイルを別々に再生するのに対して、リムーバブルメディア３に記録されているテイクを構成するすべてのクリップの中で、記録されたテイクの先頭シーンのサムネイル画像をあたかも親指大の画像を表示するかのように、生成して表示するためのテイクサムネイル生成処理のことをいう。
【００６８】
テイク再生部４１は、ＣＰＵ１１からテイク再生開始の指示を入力した場合、メディアプロファイル情報取得部４３又はテイク情報取得部４４を制御し、対応するテイクを構成するクリップを再生するための情報を取得させ、取得された情報に基づいて、ドライブ２７を制御し、リムーバブルメディア３に記録されている画像データ、音声データ又はローレゾデータなど読み出し、リムーバブルメディア３から読み出された画像データ、音声データ又はローレゾデータなどを、エンコーダ／デコーダ部１６に供給する。
【００６９】
テイクサムネイル生成部４２は、ＣＰＵ１１からテイクサムネイル生成開始の指示を入力した場合、メディアプロファイル情報取得部４３又はテイク情報取得部４４を制御し、対応するテイクを構成するすべてのクリップの中で、記録されたテイクの先頭シーンのサムネイル画像を再生するための情報を取得させる。そして、取得された情報に基づいて、ドライブ２７を制御し、リムーバブルメディア３に記録されている画像データ、音声データ又はローレゾデータなど読み出し、リムーバブルメディア３から読み出された画像データ、音声データ又はローレゾデータなどを、エンコーダ／デコーダ部１６に供給する。すなわち、テイクサムネイル生成部４２は、メディアプロファイル情報取得部４３より取得されたメディアプロファイルの登録されたテイクの先頭シーンのサムネイル画像を再生するための情報を読み出し、出力する。
【００７０】
メディアプロファイル情報取得部４３は、テイク再生部４１又はテイクサムネイル生成部４２の制御のもと、ＲＡＭ１３のメディアプロファイルから対応するテイクを構成するクリップを再生するための情報とテイクの先頭シーンのサムネイル画像を再生するための情報を取得し、テイク再生部４１又はテイクサムネイル生成部４２に出力する。
【００７１】
テイク情報取得部４４は、テイク再生部４１又はテイクサムネイル生成部４２の制御のもと、リムーバブルメディア３からドライブ２７を介して、対応するテイクを構成するクリップのクリップインフォメーションファイルを読み出し、ＲＡＭ１３に展開する。また、テイク情報取得部４４は、ＲＡＭ１３のクリップインフォメーションファイルから対応するテイクを構成するクリップを再生するための情報を取得し、テイク再生部４１又はテイクサムネイル生成部４２に出力する。
【００７２】
次に、リムーバブルメディア３に記録されているデータを管理するファイルシステム、並びにファイルシステムにおけるディレクトリ構造およびファイルについて説明する。このファイルシステムにおいては、リムーバブルメディア３に記録されたデータは図５に示されるようなディレクトリ構造及びファイルにより管理される。
【００７３】
図５は、リムーバブルメディア３のファイルシステムの構成例を示す。図５において、ルートディレクトリ（ROOT）５１には、画像データや音声データ等のエッセンスデータに関する情報等が、下位のディレクトリに配置されるBPAVディレクトリ５２が設けられる。なお、ルートディレクトリ５１には、図示は省略するが、構成表データ等も設けられる。
【００７４】
BPAVディレクトリ５２には、リムーバブルメディア３に記録されているすべてのエッセンスデータに対するタイトルやコメント、さらに、リムーバブルメディア３に記録されているすべての画像データの代表となるフレームである代表画に対応する画像データのパス等の情報を含むファイルであるボリュームメタファイル(VOLMETA．XML)５５、リムーバブルメディア３に記録されているすべてのクリップと対応するテイクを管理するための管理情報等を含むメディアプロファイル(MEDIAPRO.XML)５３、及びメディアプロファイル（MEDIAPRO.BUP）５４が設けられている。なお、メディアプロファイル５４は、メディアプロファイル５３を複製したものであり、２つのファイルを用意することにより、信頼性の向上が図られている。
【００７５】
BPAVディレクトリ５２には、さらに、リムーバブルメディア３に記録されているデータ全体に対するメタデータであり、例えば、メディア属性、再生開始位置、又はＲｅｃｌｎｈｉ等の情報を含むファイルであるキューアップインフォメーションファイル(CUEUPINFO.XML)５６及びキューアップインフォメーションファイル（CUEUPINFO.BUP）５７が設けられている。なお、キューアップインフォメーションファイル５７は、キューアップインフォメーションファイル５６を複製したものであり、２つのファイルを用意することにより、信頼性の向上が図られている。ただし、これらの情報を更新する場合、キューアップインフォメーションファイル５６のみを更新するようにしてもよい。
【００７６】
また、BPAVディレクトリ５２には、上述したファイル以外にも、クリップのデータが下位のディレクトリに設けられるクリップルートディレクトリ（CLPR）５８、及び、テイクのデータが下位のディレクトリに設けられるテイクルートディレクトリ(TAKR)５９が設けられる。テイクルートディレクトリ(TAKR)５９は、従来のエディットルートディレクトリ(EDTR)のフォルダ構成の表記と同様であるが、これとは別に設けられる。この理由は、エディットルートディレクトリ(EDTR)は、カメラ一体型記録再生装置１外の編集目的に用いられるのに対して、テイクルートディレクトリ(TAKR)５９は、カメラ一体型記録再生装置１内のリムーバブルメディア３に対する映像素材の記録再生目的に用いられるためである。
ここでは、エディットルートディレクトリ(EDTR)は省略してあるが、詳細は、上述した特許文献１の図５を参照されたい。
【００７７】
クリップルートディレクトリ５８には、リムーバブルメディア３に記録されているクリップのデータが、クリップ毎に異なるディレクトリに分けて管理されており、例えば、図５の場合、２つのクリップのデータが、クリップディレクトリ（200709.0001.01）６１、クリップディレクトリ（200709.0001.02）６２の２つのディレクトリに分けられて管理されている。すなわち、リムーバブルメディア３に記録された最初のクリップの各データは、クリップディレクトリ６１の下位のディレクトリのファイルとして管理され、２番目にリムーバブルメディア３に記録されたクリップの各データは、クリップディレクトリ６２の下位のディレクトリのファイルとして管理される。
【００７８】
なお、各クリップディレクトリは、書き換え、削除禁止属性情報を有しており、各クリップディレクトリの下位のディレクトリとして管理される各データの書き換え及び削除禁止属性は、その上位のクリップディレクトリが有する書き換え、削除禁止属性情報に基づいて管理される。
【００７９】
また、テイクリストルートディレクトリ５９には、リムーバブルメディア３に記録されているテイクリストが、カメラ一体型記録再生装置１内のリムーバブルメディア３に対する映像素材の記録再生処理毎に異なるディレクトリに分けて管理されており、例えば、図５の場合、１つのテイクリストが、テイクリストディレクトリ（200709.0001）６３の１つのディレクトリに管理されている。
【００８０】
すなわち、リムーバブルメディア３に記録されたテイクの１回目の記録開始から記録終了までに生成されたクリップをまとめた結果を示すテイクリストは、テイクリストディレクトリ６３の下位のディレクトリのファイルとして管理される。以下、同様にして、２回目以降の記録開始から記録終了までに生成されたクリップをまとめた結果を示すテイクリストは、追加されるテイクリストディレクトリの下位のディレクトリのファイルとして管理される。
【００８１】
上述したクリップルートディレクトリ５８に設けられるクリップディレクトリ６１の下位のディレクトリには、最初にリムーバブルメディア３に記録されたクリップの各データが、図６に示されるようなファイルとして設けられ、管理される。
【００８２】
図６は、図５のクリップディレクトリ６１の構成例を示す。図６の場合、クリップディレクトリ６１のサブディレクトリ（200709_0001_01 ）には、このクリップを管理するファイルであるクリップインフォメーションファイル（200709_0001_01.SMI）７１、このクリップの画像データ及び各チャンネルの音声データを含むファイルである画像データファイル（200709_0001_01.MP4）７２、このクリップのエッセンスデータに対応する、例えば、ＬＴＣ（Linear Time Code）とフレーム番号を対応させる変換テーブル等の、リアルタイム性を要求されないメタデータであるクリップメタデータを含むファイルであるクリップメタデータファイル（200709_0001_01M01.XML）７３、このクリップのエッセンスデータに対応する、例えばＬＴＣ等の、このクリップの画像データに対応するローレゾデータを含むリアルタイム性を要求されるメタデータであるフレームメタデータを含むファイルであるフレームメタデータファイル（200709_0001_01R01.BIM）７４、並びに、画像データファイル７２のフレーム構造（例えば、ＭＰＥＧ等におけるピクチャ毎の圧縮形式に関する情報や、ファイルの先頭からのオフセットアドレス等の情報）が記述されたファイルであるピクチャポインタファイル（200709_0001_01I01.PPN）７５等のファイルが設けられる。なお、上述したように、これらのファイルの書き換え、削除禁止属性は、クリップディレクトリ６１が有する書き換え、削除禁止属性情報に基づいて管理される。
【００８３】
図６の場合、再生時にリアルタイム性を要求されるデータである、画像データ、ローレゾデータ、およびフレームメタデータは、それぞれ１つのファイルとして管理され、読み出し時間が増加しないようになされている。
【００８４】
また、音声データも、再生時にリアルタイム性を要求されるが、７．１チャンネル等のような音声の多チャンネル化に対応するために、８チャンネル用意され、それぞれ、画像データと同じファイルとして管理されている。すなわち、音声データは８つのファイルとして管理されるように説明したが、これに限らず、音声データに対応するファイルは、７つ以下であってもよいし、９つ以上であってもよい。
【００８５】
同様に、画像データ、ローレゾデータ、およびフレームメタデータも、場合によって、それぞれ、２つ以上のファイルとして管理されるようにしてもよい。
【００８６】
また、図６において、リアルタイム性を要求されないクリップメタデータは、リアルタイム性を要求されるフレームメタデータと異なるファイルとして管理される。これは、画像データ等の通常の再生中に必要の無いメタデータを読み出さないようにするためであり、このようにすることにより、再生処理の処理時間や、処理に必要な負荷を軽減することができる。
【００８７】
なお、クリップメタデータファイル７３は、汎用性を持たせるためにＸＭＬ（eXtensible Markup Language）形式で記述されているが、フレームメタデータファイル７４は、再生処理の処理時間や処理に必要な負荷を軽減させるために、ＸＭＬ形式のファイルをコンパイルしたＢＩＭ形式のファイルである。
【００８８】
図６に示されるクリップディレクトリ６１のファイルの構成例は、リムーバブルメディア３に記録されている各クリップに対応するすべてのクリップディレクトリにおいて適用することができる。すなわち、図５に示される、クリップディレクトリ６１の他のサブディレクトリ（200709_0001_02 ）６２や、その他のクリップディレクトリにおいても、図６に示されるファイルの構成例を適用することができるので、その説明を省略する。
【００８９】
以上において、１つのクリップに対応するクリップディレクトリに含まれる各ファイルについて説明したが、ファイルの構成は上述した例に限らず、各クリップディレクトリの下位のディレクトリに、そのクリップに対応するクリップメタデータファイルが存在すれば、どのような構成であってもよい。
【００９０】
次に、図５のテイクルートディレクトリ５９の下位のディレクトリにおけるファイルの構成例について説明する。上述したテイクリストルートディレクトリ５９に設けられるテイクリストディレクトリ６３の下位のディレクトリには、リムーバブルメディア３に記録されたテイクの各データの１回目の記録開始から記録終了までに生成されたクリップをまとめた結果に関する情報であるテイクリストのデータが、図７に示されるようなファイルとして設けられ、管理される。
【００９１】
図７は、図５のテイクリストディレクトリ（200709_0001）６３の構成例を示す。図７の場合、テイクリストディレクトリ（200709_0001）６３には、この記録開始から記録終了までに生成されたクリップをテイクとしてまとめた結果（テイクリスト）を管理するファイルであるテイクインフォメーションファイル（200709_0001.SMI）９１、この記録開始から記録終了までに生成されたクリップをまとめてテイクとした後のエッセンスデータ（記録中に用いられた全クリップのエッセンスデータの内、記録終了後のデータとして抽出された部分）に対応するテイクメタデータ、又は、そのクリップメタデータに基づいて新たに生成されたリアルタイム性を要求されないテイクメタデータを含むファイルであるテイクリスト用テイクメタデータファイル（200709_0001M01.XML）９２等のファイルが設けられる。ここでは、記録開始から記録終了までに生成されたクリップとは、クリップディレクトリ（200709.0001_01）６１及びクリップディレクトリ（200709.0001_02）６２の２つクリップという。
【００９２】
図７において、リアルタイム性を要求されないテイクメタデータは、リアルタイム性を要求されるフレームメタデータと異なるファイルとして管理される。これは、画像データ等を再生中に（記録開始から記録終了までに生成されたクリップをテイクとしてまとめた結果の再現中に）、必要の無いメタデータを読み出さないようにするためであり、このようにすることにより、再生処理の処理時間や、処理に必要な負荷を軽減することができる。
【００９３】
テイクリスト用テイクメタデータファイル９２は、記録開始から記録終了までに生成されたクリップをテイクとしてまとめた結果に基づいて、テイクに使用されたクリップのクリップメタデータ（クリップルートディレクトリ５８の下位のディレクトリに存在するクリップメタデータファイル）に基づいて生成された新たなクリップメタデータを含むファイルである。このテイクリスト用テイクメタデータファイルは、記録開始から記録終了毎に生成される。なお、このテイクリスト用テイクメタデータファイル９２は、汎用性を持たせるために、ＸＭＬ形式で記述される。
【００９４】
図７に示されるテイクリストディレクトリ６３のファイルの構成例は、すべてのテイクリスト（記録開始から記録終了までのテイク生成結果）において適用することができる。すなわち、図５に示されない、その他のテイクリストディレクトリにおいても、図７に示されるファイルの構成例を適用することができるので、その説明を省略する。
【００９５】
以上において、１回の記録開始から記録終了までのテイク生成作業に対応するテイクリストディレクトリに含まれる各ファイルについて説明したが、ファイルの構成は上述した例に限らず、各テイクリストディレクトリの下位のディレクトリに、その記録開始から記録終了までのテイク生成に対応するテイクリスト用テイクメタデータファイルが存在すれば、どのような構成であってもよい。
【００９６】
次に、リムーバブルメディア３のファイルシステムのメディアプロファイルについて説明する。上述したように、メディアプロファイルは、リムーバブルメディア３に記録されているすべてのクリップを構成するテイクを一括管理するファイルであり、独自のスキーマによるＸＭＬ形式で管理されている。
【００９７】
図８は、図５のメディアプロファイル５３の例を示す。なお、図８において、各行頭の数字と、コロン記号（：）は、説明の便宜上付加したものであり、コードの一部ではない。後述する図９及び図１４でも同様である。
【００９８】
第１行目の＜？ｘｍｌ ｖｅｒｓｉｏｎ＝”１．０” ｅｎｃｏｄｉｎｇ＝”ＵＴＦ−８” ？＞は、第２行目以下に記述されるメディアプロファイル５３が、ＸＭＬ形式のバージョン”１．０”で記述されており、ＵＴＦ−８でエンコードされていることを表している。そして、図８の例においては、第２行目乃至第４行目の＜MediaProfile xmlns=” http://xmlns.sony.net/pro/metadata/mediaprofile”createdAt="2006-12-01T14:43:30+09:00" version="1.00">までの間に、最上位要素＜MediaProfile xmlns=”・・・＞と、最上位要素の属性"createdAt="、" version="を有していることを示している。"createdAt="は、メディアプロファイル５３の作成日時を示し、" version="は、メディアプロファイル５３のスキーマバージョンを示している。ここまでの第１行目乃至第４行目は、メディアプロファイル５３を作成したカメラ一体型記録再生装置１及びこれに装着されたリムーバブルメディア３の属性を示している。
【００９９】
第５行目の乃至第３４行目＜Contents＞は、カメラ一体型記録再生装置１に装着されたリムーバブルメディア３の素材の一覧を示す要素である。なお、素材が存在しない場合は、この要素は生成しない。第７行目乃至第１０行目の＜Material＞は、＜Contents＞の子要素である。videoType、audioType、aspectRatio属性を除いてすべて必須記述要素である。第７行目の＜Material uri＞属性は、対応するクリップ（200709.0001_01.SMI）のディレクトリ階層上の位置を示す。第１０行目の＜umid＞属性は、このクリップ（200709.0001_01.SMI）に設定される、ワールドワイドで唯一の識別子を示す。
【０１００】
第１１行目の＜Component＞は、＜Material＞要素に対応するクリップ（200709_0001_01.MP4）そのものを記述した要素である。第１５行目乃至第１７行目の＜RelevantInfo＞は、このクリップ（200709.0001_01.SMI）に関連する要素であり、ノンリアルタイム及びリアルタイムメタデータ並びにピクチャポインタに関する情報を示す。
【０１０１】
同様に、第２０行目乃至第２３行目の＜Material＞は、＜Contents＞の子要素である。videoType、audioType、aspectRatio属性を除いてすべて必須記述要素である。第２０行目の＜Material uri＞属性は、対応するクリップ（200709.0001_02.SMI）のディレクトリ階層上の位置を示す。第２３行目の＜umid＞属性は、このクリップ（200709.0001_02.SMI）に設定される、ワールドワイドで唯一の識別子を示す。
【０１０２】
第２４行目の＜Component＞は、＜Material＞要素に対応するクリップ（200709_0001_02.MP4）そのものを記述した要素である。第２８行目乃至第３０行目の＜RelevantInfo＞は、このクリップ（200709.0001_02.SMI）に関連する要素であり、ノンリアルタイム及びリアルタイムメタデータ並びにピクチャポインタに関する情報を示す。
【０１０３】
第３３行目乃至第３４行目の＜Material＞は、＜Contents＞の子要素であると同時に、第７行目乃至第１０行目の＜Material＞に記述したクリップ（200709.0001_01.SMI）と、第２０行目乃至第２３行目の＜Material＞に記述したクリップ（200709.0001_02.SMI）とをまとめたテイクに関する要素である。第３３行目の＜Material uri＞属性は、対応するテイク（200709.0001.SMI）のディレクトリ階層上の位置を示す。第３４行目の＜umid＞属性は、このテイク（200709.0001.SMI）に設定される、ワールドワイドで唯一の識別子を示す。第３５行目の＜RelevantInfo＞は、このテイク（200709.0001.SMI）に関連する要素であり、ノンリアルタイムメタデータに関する情報を示す。
【０１０４】
ここで、第３７行目乃至第４０行目の＜Component＞は、＜Material＞要素に対応するテイク（200709.0001.SMI）を構成する２つのクリップ（200709.0001_01.SMI）とクリップ（200709.0001_02.SMI）そのものを記述した要素である。
【０１０５】
図９は、テイクインフォメーションファイルの記述例を示すものである。図９は、図７に示したテイクインフォメーションファイル（200709_0001.SMI）９１の記述例であり、図8のメディアプロファイル５３の記述例に合わせたものである。
すなわち、図５に示したように、クリップルートディレクトリ（CLPR）５８の下に、2つのクリップ（200709_0001_01） と（ 200709_0001_02）があって、テイクルートディレクトリ(TAKR)５９の下の、テイク（200709_0001）６３は、この2つのクリップ（200709_0001_01） と（ 200709_0001_02）で構成している場合である。このときの、テイクインフォメーションファイル、つまり（200709_0001.SMI）の中身が以下のXMLファイルである。
【０１０６】
第１行目の＜？ｘｍｌ ｖｅｒｓｉｏｎ＝”１．０” ｅｎｃｏｄｉｎｇ＝”ＵＴＦ−８” ？＞は、第２行目以下に記述されるテイクインフォメーションファイルが、ＸＭＬ形式のバージョン”１．０”で記述されており、ＵＴＦ−８でエンコードされていることを表している。そして、図９の例においては、第２行目乃至第６行目の<smil xmlns="urn:schemas-$C:edl:takeInfo", umid="060A2B340101010501010D431300000064F5000013360597080046FFFF21D90E", xmlns:xsi="http://www.w3.org/2001/XMLSchema-instance" ,xsi:schemaLocation="urn:schemas-$C:edl:takeInfo, edl_takeInfo.xsd">の間に、テイクインフォメーションファイルのスキーマが"$C:edl:takeInfo"であることを示している。
【０１０７】
ここで、第９行目の<!-- Clip1 --> の下の第１０行目の" ref src= "で第１１行目の"umid "で指定しているファイルがクリップインフォメーションファイル（200709_0001_01.SMI）であり、また、第１２行目の<!-- Clip2 --> のの下の第１３行目の" ref src= "で第１４行目の"umidで指定しているファイルが クリップインフォメーションファイル（200709_0001_02.SMI ）であることを示している。
【０１０８】
なお、上述した例においては、MP4形式で１つのファイルの中に画像データ及び音声データを形成した例を示したが、これに限らず、他のクリップサブディレクトリを作って、この中に、MP4以外にも、例えば、MXF形式で画像データ、音声データ、メタデータ等をいくつかファイルに分けて作るようにしてもよい。
【０１０９】
次に、図１０のフローチャートを参照して、カメラ一体型記録再生装置１にリムーバブルメディア３が装着された場合に実行されるメディアプロファイルの読み出し処理を説明する。
【０１１０】
撮影スタッフは、カメラ一体型記録再生装置１を用いて、撮影により得られる画像データや音声データを記録するために、又は、リムーバブルメディア３に記録されている画像データや音声データを再生するために、リムーバブルメディア３をドライブ２７に装着する。
【０１１１】
ＣＰＵ１１は、ステップＳ１において、ドライブ２７にリムーバブルメディア３が装着されるまで待機しており、ドライブ２７にリムーバブルメディア３が装着されたと判断した場合、ステップＳ２に進み、ドライブ２７を制御し、リムーバブルメディア３からメディアプロファイル（例えば、メディアプロファイル５３）を読み出させ、ＲＡＭ１３に展開（ロード）し、メディアプロファイル読み込み処理を終了する。
【０１１２】
このようにして、カメラ一体型記録再生装置１においては、リムーバブルメディア３が装着された時点で、メディアプロファイルがリムーバブルメディア３から読み出され、ＲＡＭ１３に展開される。そして、これ以降の処理においては、ＲＡＭ１３に展開されたメディアプロファイルに基づいて、リムーバブルメディア３に対して、データ書き込みや読み出しの処理が実行される。これにより、リムーバブルメディア３に記録されているデータへのアクセスを早くすることができる。
【０１１３】
次に、図１１のフローチャートを参照して、カメラ一体型記録再生装置１のテイク生成処理を説明する。なお、いまの場合、カメラ一体型記録再生装置１にリムーバブルメディア３が装着され、図１０を参照して上述したメディアプロファイル読み出し処理が実行され、ＲＡＭ１３には、メディアプロファイル（例えば、メディアプロファイル５３）が展開されている。後述する図１５乃至図１６の処理においても同様である。
【０１１４】
撮影スタッフは、ステップＳ１１において、カメラ一体型記録再生装置１を用いて、カメラ部２８での撮影により入力される画像データや音声データをリムーバブルメディア３に記録するために、操作部２１を構成する録画ボタンを操作し、リムーバブルメディア３へのデータの記録を指示する。操作部２１は、ＣＰＵ１１にデータの記録の指示信号を出力する。ＣＰＵ１１は、操作部２１よりデータの記録の指示信号が入力された場合、入力部２２、エンコーダ／デコーダ部１６、記録制御部１４に、リムーバブルメディア３へのデータの記録開始を指示する。また、このとき、ＲＡＭ１３には、撮影スタッフにより操作部２１を介して設定された（又は、カメラ一体型記録再生装置１で予め設定されている）画像データ及び音声データのパラメータ情報（解像度の情報や、コーデックの種類など）が記憶されている。
【０１１５】
入力部２２は、ＣＰＵ１１からの指示に基づいて、カメラにより撮像された画像データおよびマイクロフォンにより集音された音声データを入力し、エンコーダ／デコーダ部１６に供給する。エンコーダ／デコーダ部１６は、入力部２２から供給された画像データ及び音声データを、それぞれ、ＲＡＭ１３に記憶されているパラメータ情報に基づいて、それぞれ符号化し、符号化された画像データ、音声データ及びローレゾデータをデータ取り込み部３１に供給する。
【０１１６】
記録制御部１４の情報取得部３２は、図１１のステップＳ１１において、ＣＰＵ１１から記録開始が指示されるまで待機しており、ＣＰＵ１１からデータの記録開始が指示されたと判断した場合、ＲＡＭ１３に記憶されているパラメータ情報を取得し、データ生成部３３、テイク生成部３４及びメディアプロファイル更新部３５に供給する。また、このとき、データ取り込み部３１は、エンコーダ／デコーダ部１６からの画像データ、音声データ及びローレゾデータをデータ生成部３３に供給する。
【０１１７】
テイク生成部３４は、情報取得部３２から、パラメータ情報が入力されると、ステップＳ１２に進み、カメラ一体型記録再生装置１に入力された画像データ、音声データ及びローレゾデータデータをクリップとして管理するためのクリップディレクトリ（例えば、クリップディレクトリ６１）を生成する。
【０１１８】
ここで、テイク生成部３４は、ステップＳ１３において、リムーバブルメディア３に記録される画像データや音声データ等がＦＡＴファイルシステムの制限(４ＧＢ)を超えるか否かを判断する。判断ステップＳ１３でＦＡＴファイルシステムの制限(４ＧＢ)を超えないときは、ステップＳ１４に進み、テイク生成部３４は、ＣＰＵ１１からデータの記録終了が指示されたか否かを判断する。判断ステップＳ１４でデータの記録終了が指示されたときは、テイク生成部３４は、記録開始から記録終了までに一つのクリップ(ファイル)を生成する。
【０１１９】
判断ステップＳ１３でＦＡＴファイルシステムの制限(４ＧＢ)を超えるときは、ステップＳ１５に進み、テイク生成部３４は、次のクリップ(ファイル)を生成するか否かを判断する。判断ステップＳ１５で次のクリップ(ファイル)を生成するときは、ステップＳ１２に戻って、ステップＳ１２のクリップ生成、ステップＳ１３のＦＡＴファイルシステムの制限(４ＧＢ)を超えるか否かの判断、及びステップＳ１５の次のクリップ(ファイル)を生成するか否かの判断を繰り返す。
【０１２０】
判断ステップＳ１５で次のクリップ(ファイル)を生成しないときは、ステップＳ１６に進み、テイク生成部３４は、ＣＰＵ１１からデータの記録終了が指示されたか否かを判断する。判断ステップＳ１６でデータの記録終了が指示されたときは、ステップＳ１７に進み、テイク生成部３４は、記録開始から記録終了までにＦＡＴファイルシステムの制限(４ＧＢ)を超えて順次生成された複数のクリップ(ファイル)をまとめて一つの記録単位(又は再生単位)であるテイクを生成する。
【０１２１】
このとき、テイク生成部３４は、記録開始から記録終了までに生成されたクリップをまとめて生成してテイクとして管理するためのテイクディレクトリ（例えば、テイクディレクトリ６４）を生成する。
この場合、テイク生成部３４は、上記のステップＳ１２のクリップ生成処理で生成されたクリップディレクトリ、及びステップＳ１７のテイク生成処理で生成されたテイクディレクトリをテーブル記録部３７に出力し、テーブル記録部３７は、テイク生成部３４からのクリップディレクトリ及びテイクディレクトリをドライブ２７を介して、リムーバブルメディア３に記録する。
【０１２２】
なお、上述したクリップディレクトリ及びテイクディレクトリの記録後において、データ生成部３３は、情報取得部３２からのパラメータ情報に基づいて、データ取り込み部３１からのエッセンスデータのヘッダ及びフッタを生成し、生成されたヘッダ、フッタ及びボディ（エッセンスデータ）からなるMP４のエッセンスデータファイル（例えば、画像データファイル７２、ノンリアルタイム及びリアルタイムメタデータファイル７３乃至７４）を生成し、生成された各エッセンスデータファイルをデータ記録部３６に出力する。データ記録部３６は、データ生成部３３からのエッセンスデータファイルをドライブ２７を介して、リムーバブルメディア３に記録する。
【０１２３】
データ生成部３３は、情報取得部３２からのパラメータ情報及びデータ取り込み部３１からの画像データ及び音声データに基づいて、フレームメタデータデータファイル（例えば、フレームメタデータデータファイル）を生成し、生成されたフレームメタデータデータファイルをデータ記録部３６に出力する。データ記録部３６は、データ生成部３３からのフレームメタデータデータファイルをドライブ２７を介して、リムーバブルメディア３に記録する。
【０１２４】
データ生成部３３は、情報取得部３２からのパラメータ情報及びデータ取り込み部３１からの画像データ及び音声データに基づいて、クリップメタデータデータファイル（例えば、クリップメタデータデータファイル）を生成し、生成されたクリップメタデータデータファイルをデータ記録部３６に出力する。データ記録部３６は、データ生成部３３からのクリップメタデータデータファイルをドライブ２７を介して、リムーバブルメディア３に記録する。
【０１２５】
データ生成部３３は、情報取得部３２からのパラメータ情報及びデータ取り込み部３１からの画像データに基づいて、ピクチャポインタファイル（例えば、ピクチャポインタファイル７５）を生成し、生成されたピクチャポインタファイルをデータ記録部３６に出力する。データ記録部３６は、データ生成部３３からのピクチャポインタファイルをドライブ２７を介して、リムーバブルメディア３に記録する。
【０１２６】
テイク生成部３４は、情報取得部３２からのパラメータ情報に基づいて、クリップインフォメーションファイル（例えば、クリップインフォメーションファイル７１）、及びテイクインフォメーションファイル（例えば、テイクインフォメーションファイル９１）を生成する。具体的には、テイク生成部３４は、データ生成部３３により生成された各エッセンスデータに基づいて記述されるエッセンスデータを管理するための属性情報（例えば、図９の第３行目の「umid=" 060A2B340101010501010D431300000064F5000013360597080046FFFF21D90E"など）、並びに、情報取得部３２からのパラメータ情報に基づいて記述されるエッセンスデータを再生するために必要なスキーマ属性情報（例えば、図９の第４行目の「xsi:schemaLocation="urn:schemas-$C:edl:takeInfo」など）が記述されたテイクインフォメーションファイルを生成する。
【０１２７】
また、テイク生成部３４は、テイクを構成するクリップをまとめたテイクインフォメーションファイルを生成し、生成されたクリップインフォメーションファイル及びテイクインフォメーションファイルをテーブル記録部３７に出力する。テーブル記録部３７は、テイク生成部３４からのクリップインフォメーションファイル及びテイクインフォメーションファイルをドライブ２７を介して、リムーバブルメディア３に記録する。
【０１２８】
ここで、テイク生成部３４により単一の記録再生単位として生成されたテイクは、複数の記録ファイルであるクリップに対する編集情報editlistと別の名前空間で別に定義される。名前空間とは、XMLファイルの書式を識別するための概念であって、個別のURL毎に割り振られるものである。図１２において、名前空間の定義１１０を示すように、URLに識別子：edlを付したもの１１１が、共通の編集情報editlistの名前空間を示す。これに対して、「URLに識別子：edlを付したもの１１１」にさらに識別子：clipinfoを付したもの１１２が、ユニークなクリップインフォの名前空間を示す。そして、「URLに識別子：edlを付したもの１１１」に「識別子：clipinfoを付して１１２」さらに「識別子：takeinfoを付したもの１１３」が、ユニークなテイクインフォの名前空間を示す。これらの名前空間は、例えば、メーカーや申請人毎に特定の規格管理者や規格管理団体が割り振るものである。
【０１２９】
上述した例では、MPEG-4形式の圧縮動画データを格納するファイル形式であるMP４ファイル形式の画像データ、音声データ及びローレゾデータなどに対する例を示したが、これに限らず、他のフォーマット、例えば、ＭＸＦファイル形式の画像データ、音声データ及びローレゾデータなどに対しても適用することができる。
【０１３０】
図１３は、MP４ファイル形式の画像データ等に対するリムーバブルメディア３のファイルシステムの実装を考慮した構成例を示す。図１３において、図５に対応する部分には同一の符号を付して、詳細な説明を省略する。また、図１３において、プラス記号（＋）が付加されているものは、その行に子要素があることを示すものであり、ディレクトリの一部ではない。
図１３において、BPAVディレクトリ５２には、リムーバブルメディア３に記録されているすべてのクリップと対応するテイク及びテイクリストを管理するための管理情報等を含むメディアプロファイル(MEDIAPRO.XML)５３、及びリムーバブルメディア３に記録されているデータ全体に対するメタデータであり、例えば、メディア属性、再生開始位置、又はReclnhi等の情報を含むファイルであるキューアップインフォメーションファイル(CUEUPINFO.XML)５６が設けられている。
【０１３１】
また、BＰＡＶディレクトリ５２には、上述したファイル以外にも、クリップのデータが下位のディレクトリに設けられるクリップルートディレクトリ（CLPR）５８、及び、テイクリストのデータが下位のディレクトリに設けられるテイクリストルートディレクトリ(TAKR)５９が設けられる。
【０１３２】
クリップルートディレクトリ５８には、リムーバブルメディア３に記録されているクリップのデータが、クリップ毎に異なるディレクトリに分けて管理されており、例えば、図１３の場合、６つのクリップのデータが、データを記録したカメラ一体型記録再生装置１のシリアルナンバーを用いたものとして、クリップディレクトリ（200709.0001.01）121、クリップディレクトリ（200709.0002.01）122、クリップディレクトリ（200709.0003.01）123、及びクリップディレクトリ（200709.0003.02）124の4つのディレクトリに分けられて管理されている。
【０１３３】
記録開始直後からＦＡＴファイルシステムの制限(４ＧＢ)を超えるまでのクリップのクリップディレクトリ（200709.0003.01）123には、このクリップを管理するファイルであるクリップインフォメーションファイル（200709.0003.01.SMI）131、このクリップの画像データ及び音声データを含むファイルである画像データファイル（200709.0003.01．MP4）132、このクリップのエッセンスデータに対応する、例えば、LTC（Linear Time Code）とフレーム番号を対応させる変換テーブル等の、リアルタイム性を要求されないメタデータであるクリップメタデータを含むファイルであるノンリアルタイムメタデータファイル（200709.0003.01M01.XML）133、このクリップのエッセンスデータに対応する、例えばＬＴＣ等の、このクリップの画像データに対応するローレゾデータを含むリアルタイム性を要求されるメタデータであるフレームメタデータを含むファイルであるリアルタイムメタデータファイル（200709.0003.01R01.BIM）134、並びに、画像データファイル14２のフレーム構造（例えば、MPEG等におけるピクチャ毎の圧縮形式に関する情報や、ファイルの先頭からのオフセットアドレス等の情報）が記述されたファイルであるピクチャポインタファイル（200709.0003.01I01.PPN）135等のファイルが設けられる。
【０１３４】
また、ＦＡＴファイルシステムの制限(４ＧＢ)を超えてから記録終了直前までのデータのクリップディレクトリ（200709.0003.02）124には、このクリップを管理するファイルであるクリップインフォメーションファイル（200709.0003.02.SMI）141、このクリップの画像データ及び音声データを含むファイルである画像データファイル（200709.0003.02．MP4）142、このクリップのエッセンスデータに対応する、例えば、LTC（Linear Time Code）とフレーム番号を対応させる変換テーブル等の、リアルタイム性を要求されないメタデータであるクリップメタデータを含むファイルであるノンリアルタイムメタデータファイル（200709.0003.02M01.XML）143、このクリップのエッセンスデータに対応する、例えばＬＴＣ等の、このクリップの画像データに対応するローレゾデータを含むリアルタイム性を要求されるメタデータであるフレームメタデータを含むファイルであるリアルタイムメタデータファイル（200709.0003.02R01.BIM）144、並びに、画像データファイル14２のフレーム構造（例えば、MPEG等におけるピクチャ毎の圧縮形式に関する情報や、ファイルの先頭からのオフセットアドレス等の情報）が記述されたファイルであるピクチャポインタファイル（200709.0003.02I01.PPN）145等のファイルが設けられる。
【０１３５】
さらに、カメラ一体型記録再生装置１外のPC等で記録されたデータに関するものであることを示すためにカメラ一体型記録再生装置１のシリアルナンバーから「FUJI」に変更したものとして、クリップディレクトリ（FUJI000４-01）125、及びクリップルートディレクトリ（CLPR）58直下のクリップ（Kampake.MP4）146が記録されている。
【０１３６】
すなわち、リムーバブルメディア３に記録された最初のクリップディレクトリ（200709.0001.01）121及び２番目にリムーバブルメディア３に記録されたクリップディレクトリ（200709.0002.01）122のクリップ(ファイル)は、ＦＡＴファイルシステムの制限(４ＧＢ)を超えないで、記録開始から記録終了までに一つのクリップ(ファイル)として生成されたものである。
【０１３７】
これに対して、3番目のクリップディレクトリ（200709.0003.01）123、及び４番目のクリップディレクトリ（200709.0003.02）124のクリップ(ファイル)は、記録開始から記録終了までにＦＡＴファイルシステムの制限(４ＧＢ)を超えて順次生成された２つのクリップ(ファイル)である。
【０１３８】
また、テイクリストルートディレクトリ５９には、リムーバブルメディア３に記録されているテイクリストが、カメラ一体型記録再生装置１内のリムーバブルメディア３に対する映像素材の記録再生処理毎に異なるディレクトリに分けて管理されており、例えば、図１３の場合、１つのテイクリストが、テイクリストディレクトリ（200709.0003）151として管理されている。
【０１３９】
すなわち、リムーバブルメディア３に記録されたテイクの１回目の記録開始から記録終了までに生成された3番目のクリップディレクトリ（200709.0003.01）123及び４番目のクリップディレクトリ（200709.0003.02）124のクリップ(ファイル)をまとめた結果を示すテイクリストは、テイクリストディレクトリ（200709.0003）151の下位のディレクトリの一つの記録単位(又は再生単位)のテイクとして生成されたファイルとして管理される。
【０１４０】
テイクリストディレクトリ（200709.0003）151には、この記録開始から記録終了までに生成されたクリップをテイクとしてまとめた結果（テイクリスト）を管理するファイルであるテイクインフォファイル（200709.0003.SMI）161、この記録開始から記録終了までに生成されたクリップをまとめてテイクとした後のエッセンスデータ（記録中に用いられた全クリップのエッセンスデータの内、記録終了後のデータとして抽出された部分）に対応するリアルタイム性を要求されないテイクメタデータ、又は、そのクリップメタデータに基づいて新たに生成されたテイクメタデータを含むファイルであるテイクリスト用ノンリアルタイムメタデータファイル（200709.0003.M01.XML）162等のファイルが設けられる。
【０１４１】
次に、上述したように図１３で生成されたテイクリストファイル（200709.0003.SMI）161をメディアプロファイルに書き込んでメディアプロファイルを更新する処理を説明する。
図１４に示すメディアプロファイルの素材の一覧を示すコンテンツ欄の1行目から２０行目までには、マテリアル項目として、図１３に示したクリップルートディレクトリ（CLPR）５８の下位のクリップディレクトリ（200709.0001.01）121、クリップディレクトリ（200709.0002.01）122、クリップディレクトリ（200709.0003.01）123、及びクリップディレクトリ（200709.0003.02）124の各ファイルのディレクトリ階層上の位置が示されている。
【０１４２】
また、２１行目から２５行目までには、マテリアル項目として、図１３に示したクリップルートディレクトリ（CLPR）５８の下位のクリップディレクトリ（FUJI000４-01）125、及びクリップルートディレクトリ（CLPR）58直下のクリップ（Kampake.MP4）146の各ファイルのディレクトリ階層上の位置が示されている。
【０１４３】
さらに、２６行目から３１行目までには、マテリアル項目として、図１３に示したテイクリストディレクトリ（200709.0003）151の各ファイルのディレクトリ階層上の位置が示されている。ここで、２８行目から２９行目までには、マテリアル項目にさらにコンポーネント項目を設け、このコンポーネント項目として、テイクインフォファイル（200709.0003.SMI）161を構成する中身の情報としてクリップインフォメーションファイル（200709.0003.01.SMI）131及びクリップインフォメーションファイル（200709.0003.02.SMI）141の各ファイルのディレクトリ階層上の位置及び各ファイルの中身そのものを記録する。
【０１４４】
図１５に、上述した図１４に示したメディアプロファイルを更新する処理のフローチャート示す。図１５において、まず、ステップS２１で、図3に示したメディアプロファイル更新部３５は、メディアプロファイルのコンテンツ欄のマテリアル項目の下に、コンポーネント項目を設ける。具体的には、メディアプロファイル更新部３５は、図１４に示したメディアプロファイルのコンテンツ欄の２行目から２５行目までのマテリアル項目の下に、２８行目から２９行目までコンポーネント項目を設ける。
【０１４５】
次に、ステップＳ２２において、メディアプロファイル更新部３５は、マテリアル項目に追加されたテイクを記述する。具体的には、メディアプロファイル更新部３５は、図１４に示したメディアプロファイルのコンテンツ欄の２６行目から２７行目までのマテリアル項目に、追加して生成されたテイクインフォファイル（200709.0003.SMI）161及びテイクリスト用ノンリアルタイムメタデータファイル（200709.0003.M01.XML）162の各ファイルのディレクトリ階層上の位置を記録する。
【０１４６】
そして、ステップＳ２３において、メディアプロファイル更新部３５は、ステップS２１で設けられたコンポーネント項目に、ステップＳ２２で追加されたテイクが構成されるクリップを記述する。具体的には、メディアプロファイル更新部３５は、図１４に示したメディアプロファイルのコンテンツ欄のマテリアル項目に設けられた２８行目から２９行目までのコンポーネント項目に、追加されたテイクインフォファイル（200709.0003.SMI）161を構成する中身の情報としてクリップインフォメーションファイル（200709.0003.01.SMI）131及びクリップインフォメーションファイル（200709.0003.02.SMI）141の各ファイルのディレクトリ階層上の位置及び各ファイルの中身そのものを記録する。
【０１４７】
以上のようにして、メディアプロファイルにテイクが構成されるクリップを記述するようにしたので、リムーバブルメディア３に記録されたデータを再生する際には、メディアプロファイルのデータだけでテイクが構成されるクリップのデータを再生することができる。これにより、直接個別にクリップのデータを読み出す必要がなくなり、再生の処理時間が短縮される。
【０１４８】
次に、図１６のフローチャートを参照して、カメラ一体型記録再生装置１における追加されたテイクの再生処理を説明する。図１６においては、メディアプロファイルに基づいて、テイクが構成されるクリップが再生される場合を説明する。
【０１４９】
撮影スタッフは、撮影したクリップを確認するために、操作部２１のボタンなどを操作して、所望のクリップの再生を指示する。操作部２１は、ＣＰＵ１１にクリップ再生の指示信号を出力する。ＣＰＵ１１は、操作部２１を介して、クリップ再生の指示信号が入力された場合、再生制御部１５に、リムーバブルメディア３からのクリップの再生開始を指示する。
【０１５０】
まず、再生処理に先立って、図１６のステップＳ３０において、テイクサムネイル生成部４２は、テイクの一つのサムネイル画像を生成して出力部２３のLCDなどの表示部に表示する。
テイクサムネイル生成部４２は、ＣＰＵ１１からテイクサムネイル生成開始の指示を入力した場合、メディアプロファイル情報取得部４３又はテイク情報取得部４４を制御し、対応するテイクを構成するすべてのクリップの中で、記録されたテイクの先頭シーンのサムネイル画像を再生するための情報を取得させる。
【０１５１】
そして、取得された情報に基づいて、ドライブ２７を制御し、リムーバブルメディア３に記録されている画像データ、音声データ又はローレゾデータなど読み出し、リムーバブルメディア３から読み出された画像データ、音声データ又はローレゾデータなどを、エンコーダ／デコーダ部１６に供給する。そして、テイクサムネイル生成部４２は、メディアプロファイル情報取得部４３より取得されたメディアプロファイルの登録されたテイクの先頭シーンの一つのサムネイル画像を再生するための情報を読み出し、LCDなどの表示部に出力する。ユーザは、LCDなどの表示部に表示されたテイクの先頭シーンの一つのサムネイル画像により素材内容を確認した後に操作部２１により再生指示を行う。
【０１５２】
テイク再生部４１は、ステップＳ３１において、ＣＰＵ１１からテイクの再生開始が指示されるまで待機しており、ＣＰＵ１１からテイクの再生開始が指示されたと判断した場合、ステップＳ３２に進み、テイク情報取得部４４を制御し、ドライブ２７を介して、メディアプロファイルの追加されたテイクインフォメーションファイル（例えば、テイクインフォメーションファイル９１）を構成するクリップインフォメーションファイル（例えば、クリップインフォメーションファイル７１）をリムーバブルメディア３から読み出させる。テイク情報取得部４４は、読み出された追加されたテイクインフォメーションファイルを構成するクリップインフォメーションファイルをＲＡＭ１３に展開（ロード）し、ステップＳ３３に進む。
【０１５３】
テイク再生部４１は、テイク情報取得部４４を制御し、ステップＳ３３において、ＲＡＭ１３の追加されたテイクインフォメーションファイルを構成するクリップ要素から、再生するエッセンスデータのユーミッド（（例えば、図９の第１１行目の「ｕｍｉｄ：060A2B340101010501010D43130000000000000013360597080046FFFF21D90E」）及び第１４行目の「umid:060A2B340101010501010D43130000005A69000013360597080046FFFF21D90E」など）を取得させる。テイク再生部４１は、メディアプロファイル情報取得部４３を制御し、取得されたユーミッドに対応するファイル名（例えば、図８の第３７行目の「200709_0001_01.SMI」及び「200709_0001_02.SMI「）などのクリップ要素を、ＲＡＭ１３のメディアプロファイルの<Component＞より取得させる。
【０１５４】
テイク再生部４１は、テイク情報取得部４４により取得された属性情報及びファイル名に基づいて、ドライブ２７、エンコーダ／デコーダ部１６及び出力部２３を制御し、リムーバブルメディア３に記録されているエッセンスデータを再生させ、テイク再生処理を終了する。具体的には、ドライブ２７は、テイク再生部４１の制御のもと、ファイル名に対応するエッセンスデータをリムーバブルメディア３から読み出し、エンコーダ／デコーダ部１６に供給する。エンコーダ／デコーダ部１６は、テイク再生部４１からの属性情報に基づいて、エッセンスデータをデコードし、デコードされたデータを、出力部２３を構成するモニタやスピーカに出力させる。
【０１５５】
以上のように、テイクを再生するために必要なテイクの先頭シーンの一つのサムネイル画像により素材内容を確認した後にテイクの再生指示を行うことができ、これにより、メディアプロファイルのテイクインフォメーションファイルを構成するクリップインフォメーションファイルからテイクを構成するクリップの再生を行うことができる。
【図面の簡単な説明】
【０１５６】
【図１】本発明を適用した映像プログラム制作支援システムの構成例を示す図である。
【図２】図１のカメラ一体型記録再生装置の構成例を示すブロック図である。
【図３】図２の記録制御部の構成例を示すブロック図である。
【図４】図２の再生制御部の構成例を示すブロック図である。
【図５】図１のリムーバブルメディアのファイルシステムの構成例を示す図である。
【図６】図５のクリップディレクトリの構成例を示す図である。
【図７】図５のテイクディレクトリの構成例を示す図である。
【図８】図５のメディアプロファイルの例を示す図である。
【図９】図７のテイクインフォメーションファイルの例を示す図である。
【図１０】図１のカメラ一体型記録再生装置のメディアプロファイルの読み出し処理を説明するフローチャートである。
【図１１】図１のカメラ一体型記録再生装置のテイク生成処理を説明するフローチャートである。
【図１２】編集情報、クリップインフォ及びテイクインフォの名前空間の区別を示す図である。
【図１３】MP４ファイル形式の画像データ等に対するリムーバブルメディアのファイルシステムの実装を考慮した構成例を示す図である。
【図１４】メディアプロファイルの素材の一覧を示すコンテンツ欄を示す図である。
【図１５】図１のカメラ一体型記録再生装置のメディアプロファイルの更新処理を説明するフローチャートである。
【図１６】図１のカメラ一体型記録再生装置のメディアプロファイルに追加されたテイクの再生処理を説明するフローチャートである。
【符号の説明】
【０１５７】
１…カメラ一体型記録再生装置，２…フィールドＰＣ，３…リムーバブルメディア，４…取材用端末装置，５…ネットワーク，６…企画用端末装置，７…編集用端末装置，８…映像プログラム制作支援システム，１４…記録制御部，１５…再生制御部，１６…エンコーダ／デコーダ部，２７…ドライブ，２８…カメラ部、３１…データ取り込み部，３２…情報取得部，３３…データ生成部，３４…テイク生成部，３５…メディアプロファイル更新部，３６…データ記録部，３７…テーブル記録部，４１…テイク再生部，４２…テイクサムネイル生成部，４３…メディアプロファイル情報取得部，４４…テイク情報取得部，５３…メディアプロファイル，７１…クリップインフォメーションファイル
【図１】
2008090914.tif 000003
【図２】
2008090914.tif 000004
【図３】
2008090914.tif 000005
【図４】
2008090914.tif 000006
【図５】
2008090914.tif 000007
【図６】
2008090914.tif 000008
【図７】
2008090914.tif 000009
【図８】
2008090914.tif 000010
【図９】
2008090914.tif 000011
【図１０】
2008090914.tif 000012
【図１１】
2008090914.tif 000013
【図１２】
2008090914.tif 000014
【図１３】
2008090914.tif 000015
【図１４】
2008090914.tif 000016
【図１５】
2008090914.tif 000017
【図１６】
2008090914.tif 000018